(57)【要約】【課題】  本・ＣＤ・ビデオテープ、ＤＶＤなど種々のものを立て掛けて収納すると共に、簡単な構成で、その収納及び取り出し動作が容易となる収納ラックを提供すること。【解決手段】  少なくとも一対の平行な対辺を有する板状部材から成る底板１と、この底板の表面に任意の間隔にて立設されて当該底板上を複数の領域に区画する仕切面を形成した仕切部材２と、底板の裏面に当接して当該底板が載置される基台３とを備えている。そして、この基台３に、当該基台上を底板が特定の一対の平行な対辺に沿った方向にのみスライド可能なよう当該一対の平行な対辺それぞれの側部及び上部を当接あるいは近接して覆う底板スライドガイド手段３１ａ，３２ａをそれぞれ備えると共に、底板１に、当該底板がスライドすることにより各スライドガイド手段にそれぞれ当接して当該底板のスライド移動を規制するスライド規制手段１２ａａを設けた。【選択図】図２
2005218743.tif 000002
【特許請求の範囲】
【請求項１】
少なくとも一対の平行な対辺を有する板状部材から成る底板と、この底板の表面に任意の間隔にて立設されて当該底板上を複数の領域に区画する仕切面を形成した仕切部材と、前記底板の裏面に当接して当該底板が載置される基台とを備え、
この基台に、当該基台上を前記底板が特定の前記一対の平行な対辺に沿った方向にのみスライド可能なよう当該一対の平行な対辺それぞれの側部及び上部を当接あるいは近接して覆う底板スライドガイド手段をそれぞれ備えると共に、
前記底板に、当該底板がスライドすることにより前記各底板スライドガイド手段にそれぞれ当接して当該底板のスライド移動を規制するスライド規制手段を設けた、ことを特徴とする収納ラック。
【請求項２】
前記基台に備えられた前記底板スライドガイド手段を、当該基台に載置された前記底板の前記特定の一対の平行な対辺の各辺にそれぞれ当接あるいは近接するよう前記基台から上方に向かって突出する側壁部と、この側壁部から前記底板の前記特定の一対の対辺の各辺の上部にそれぞれ当接あるいは近接するよう突出し当該底板が基台から離間する方向に移動することを規制する底板保持突起と、により構成すると共に、
前記底板に設けられたスライド規制手段を、当該底板が前記基台の凹部に沿って一定の距離をスライドした際に前記底板保持突起に当接するよう当該底板から上方に向かって突出するスライド係止突起にて形成した、ことを特徴とする請求項１記載の収納ラック。
【請求項３】
前記底板に、前記仕切部材を挿入して立設する挿入穴を複数形成すると共に、
前記仕切部材に、前記底板の挿入穴に挿入可能な脚部を形成し、
この脚部に、前記挿入穴の形成箇所における前記底板の板厚とほぼ同一の溝幅を有していて当該底板に嵌合可能な切り欠き溝を形成した、ことを特徴とする請求項１又は２記載の収納ラック。
【請求項４】
前記底板のスライド方向における前記仕切部材のいずれか一方の端部に、当該仕切部材の仕切面上から突出する収納物係止突起を設けると共に、
前記仕切部材の仕切面のうち、前記収納物係止突起が形成された箇所の当該突起の突出方向とは反対側の部分を、当該収納物係止突起の突出形状に対応して凹状に形成した、ことを特徴とする請求項１，２又は３記載の収納ラック。
【請求項５】
前記仕切部材の仕切面上における前記収納物係止突起の形成箇所近傍であって、当該仕切部材の脚部に形成された前記切り欠き溝の開口側とは反対側に位置する箇所に、切除部を形成した、ことを特徴とする請求項４記載の収納ラック。
【発明の詳細な説明】
【技術分野】
【０００１】
本発明は、収納ラックにかかり、特に、本、ＣＤ、ビデオ、ＤＶＤなどを収納可能な組立式の収納ラックに関する。
【背景技術】
【０００２】
本やＣＤ、ビデオテープなどは、積み重ねて収納すると下層に位置するものを取り出すことに手間がかかるため、所定の棚（ラック）に立て掛けて収納することが多い。しかし、立て掛けた場合には、本などの幅の厚いものやＣＤなどの厚みの薄いものであっても、その両脇に棚の側壁や別のＣＤが当接しているものは倒れる可能性が少ないが、棚の中央付近に立て掛けられていて一方の側面に当接する物体がない場合には、倒れてしまう可能性が高い。すると、ＣＤなどをうまく収納できないという問題が生じたり、倒れた衝撃で本が折れてしまったり、ＣＤケースを損傷してしまう、などの問題が生じる。
【０００３】
そこで、特許文献１に示すように、従来技術として、本棚内をスライド可能なブックエンド（仕切部材）に関する発明が開示されている。このブックエンドの下部には、転倒防止用の棒状金具が主に備えられていて、これに対応して本棚に形成されている溝に装着する、というものである。これにより、収納する本やＣＤなどの冊数、枚数に応じてブックエンドをスライドし、当該本が倒れないようにするというものである。
【０００４】
また、特許文献２には、上記同様に、収納したＣＤが倒れないようにするＣＤラックが開示されている。このラックには、所定の間隔で上下壁にそれぞれ仕切片が設けられており、特にその間隔が、ＣＤが倒れようとしても上壁に形成された隣の仕切片に当接するような間隔にて設けられている。かかる技術も、ＣＤなど立て掛けて収納するものが倒れることを抑制する、というものである。
【０００５】
【特許文献１】特開平８−２４２９４６号公報
【特許文献２】特開平８−７０９４３号公報
【発明の開示】
【発明が解決しようとする課題】
【０００６】
しかしながら、上記従来例には以下のような不都合があった。まず、上記従来例における収納ラックでは、収納したＣＤなどを取り出すことが困難である、という問題が生じる。例えば、いずれの文献のものであっても、収納する箇所は、下板と上板とに挟まれた箇所に形成されていて、かかる構成では、収納物を上から見て取り出すことができず、正面から取り出さなければならない。このとき収納物が収納箇所に奥側に深く収納されている場合には、取り出すことが困難になってしまう、という問題が生じる。逆に、取り出しやすくするため上板を取り外すとすると、その上方にはもはや収納することができず、スペースの有効利用を図ることができない。また、収納物に埃がかぶってしまう、という問題も生じる。
【０００７】
また、スライド可能なブックエンドを設ける構成（特許文献１）では、一つの棚に複数のブックエンドを設けることが困難であり、特に、溝に棒状金具をはめ込むため、近接して設置することが困難である。例えば、本を種類別に、あるいは、ＣＤや本などを区分けしたい場合であっても狭いスペースでは困難となる。さらには、ブックエンドを使用せずに、本棚から取り外して当該ブックエンドを収納しておく場合には、ブックエンドが棒状金具の存在により平面的に重ね合わせて収納することができず、その収納場所の確保が困難となる問題も生じる。
【０００８】
そして、上述したＣＤラックの場合（特許文献２）には、複数の仕切片によってＣＤの転倒防止を図ることができるものの、その仕切片の間隔が定まっており、また、上壁に仕切片を設けることから高さも制限されていて、ＣＤ以外の収納には適さない。従って、ラックの汎用性がなく、用途が制限されてしまうという問題が生じる。
【０００９】
本発明は、上記従来例の有する不都合を改善し、特に、本・ＣＤ・ビデオテープ、ＤＶＤなど種々のものを立て掛けて収納すると共に、簡単な構成で、その収納及び取り出し動作が容易となる収納ラックを提供する、ことをその目的とする。
【課題を解決するための手段】
【００１０】
そこで、本発明では、少なくとも一対の平行な対辺を有する板状部材から成る底板と、この底板の表面に任意の間隔にて立設されて当該底板上を複数の領域に区画する仕切面を形成した仕切部材と、底板の裏面に当接して当該底板が載置される基台とを備えている。そして、この基台に、当該基台上を底板が特定の一対の平行な対辺に沿った方向にのみスライド可能なよう当該一対の平行な対辺それぞれの側部及び上部を当接あるいは近接して覆う底板スライドガイド手段をそれぞれ備えると共に、底板に、当該底板がスライドすることにより各スライドガイド手段にそれぞれ当接して当該底板のスライド移動を規制するスライド規制手段を設けた、という構成を採っている。
【００１１】
そして、上記構成のさらに具体的な構成として、基台に備えられた底板スライドガイド手段を、当該基台に載置された底板の特定の一対の平行な対辺の各辺にそれぞれ当接あるいは近接するよう基台から上方に向かって突出する側壁部と、この側壁部から底板の特定の一対の対辺の各辺の上部にそれぞれ当接あるいは近接するよう突出し当該底板が基台から離間する方向に移動することを規制する底板保持突起と、により構成すると共に、底板に設けられたスライド規制手段を、当該底板が基台の凹部に沿って一定の距離をスライドした際に底板保持突起に当接するよう当該底板から上方に向かって突出するスライド係止突起にて形成した、という構成であってもよい。
【００１２】
このような構成にすることにより、基台に載置された底板が、底板スライドガイド手段にて規制されて、当該基台上を一定方向にのみスライド可能となる。このとき、一定の距離だけスライドすると、上記底板スライドガイド手段とスライド規制手段とが当接することにより、それ以上スライドすることが抑制される。従って、収納物を収納する底板を一定の距離だけ前面にスライドさせることにより、収納領域を認識することが容易になり、収納物の収納動作、及び、取り出し動作が容易となる。また、簡易な構成であるため、その製造コストも低廉なものとなる。
【００１３】
また、本発明では、上記構成に加えて、底板に、仕切部材を挿入して立設する挿入穴を複数形成すると共に、仕切部材に、底板の挿入穴に挿入可能な脚部を形成し、この脚部に、挿入穴の形成箇所における底板の板厚とほぼ同一の溝幅を有していて当該底板に嵌合可能な切り欠き溝を形成した、という構成を採っている。
【００１４】
これにより、仕切部材が底板に対して容易に脱着可能であり、不使用時には分解して収納が容易となる。また、簡単な装着方法であるにも関わらず、底板に仕切部材に形成された切り欠き溝を嵌合して装着するため当該仕切部材の装着時の安定性が増し、あらゆる収納物に対応することができる。
【００１５】
さらに、上記構成に加えて、前記底板のスライド方向における仕切部材のいずれか一方の端部に、当該仕切部材の仕切面上から突出する収納物係止突起を設けると共に、仕切部材の仕切面のうち、収納物係止突起が形成された箇所の当該突起の突出方向とは反対側の部分を、当該収納物係止突起の突出形状に対応して凹状に形成した、という構成にしてもよい。
【００１６】
これにより、収納物が仕切部材の収納物係止突起に当接することで、当該収納物が前面に対して奥まって収納されることを抑制でき、取り出しが容易になると共に、収納時にも収納物を容易に認識することができる。また、収納物係止突起部分の裏側が凹状に形成されているため、各仕切部材の突起同士が干渉せずに、仕切部材同士を近接して装着することができる。また、不使用の際には仕切部材を重ねておくことができ、分解したときの省スペース化を図ることができる。
【００１７】
さらに、上記構成において、仕切部材の仕切面上における収納物係止突起の形成箇所近傍であって、当該仕切部材の脚部に形成された前記切り欠き溝の開口側とは反対側に位置する箇所に、近接して立設される別の仕切部材の収納物係止突起との干渉を避ける逃げ部、具体的には、切除部を形成した、という構成にするとよい。
【００１８】
これにより、仕切部材を底板に装着する際には、仕切部材の収納物係止突起が一時的に切り欠き溝の開口側とは反対側よりに位置することとなるが、近接して装着されている他の仕切部材には逃げ部が形成されているため、仕切部材同士が当接することなく装着することができる。
【発明の効果】
【００１９】
本発明は、以上のように構成され機能するので、これによると、簡易な構成で、収納物を一定の距離だけ容易にスライドさせることができ、収納物の収納動作、及び、取り出し動作が容易となる。また、スライド可能であることから、収納ラックに天板が備えられていたり、当該ラックが上下に積み重ねられても収納動作を妨げることがない、という従来にない優れた効果を有する。
【発明を実施するための最良の形態】
【００２０】
本発明である収納ラックは、簡易な構成であると共に、コンパクトディスクなどを収納した底板が前面にスライドすることを主な特徴としている。このように構成することで、収納物の収納及び取り出し動作が容易となる。その構成が簡易なものであるため、容易に組み立てることができ、販売時や不使用時などはコンパクトにまとめることができる。さらには、収納ケース単位毎に構成することができ、これを積み重ねることにより、設置場所や用途に適した形状に構成することができ、収納スペースの利用効率の向上や、デザイン性の向上を図ることができる。以下、実施例にてその構成を詳述する。
【実施例１】
【００２１】
本発明の第１の実施例を、図１乃至図５を参照して説明する。図１は、収納ラックの外観を示す斜視図であり、図２は、収納物を収納する底板をスライドさせたときの様子を示す斜視図である。また、図３乃至図５は、各構成の形状を示す図である。
【００２２】
（全体構成）
まず、図１に示すように、本発明である収納ラックは、少なくとも一対の平行な対辺を有する板状部材から成る底板１と、この底板の表面に任意の間隔にて立設されて当該底板上を一定の方向に沿って複数の収納領域に区画する仕切面を形成した仕切部材２と、底板の裏面に当接して当該底板が載置される基台３と、この基台の周囲に固定されて立設される支柱部材４と、この支柱部材４にて本体上部に支持されて装着される天板５とにより構成されている。そして、例えば、支柱部材４は鉄などの金属にて形成されており、底板１など他の部材は、プラスチックにて形成されている。但し、これらの部材は上記材料にて形成されていることに限定されない。以下、各構成について詳述する。
【００２３】
（底板）
底板１は、長方形状１の板状部材であって、後述するように略平面形状の仕切部材２が複数立設され、その間にコンパクトディスクやＤＶＤ、ビデオテープ、本などが収納される。なお、収納物は、上記の物に限定されない。また、仕切部材２を装着するための構成については後述する。
【００２４】
また、底板１は、後述する基台３に載置されて、その長辺に沿って基台３上をスライド移動する。以下、そのための構成について説明する。なお、説明の便宜上、底板１の長辺の一端部側に位置する短辺側であって、図１，２の手前側に位置する箇所を「前方」と呼び、その反対側を「後方」と呼ぶ。これは、スライド方向を説明する場合も同様である。
【００２５】
まず、底板１の各長辺の中央部分には、当該底板１の中心に向かって凹むコ字状の切り欠き部１１ａ，１１ｂが形成されている。また、各長辺には、上記各切り欠き部１１ａ，１１ｂをそれぞれ挟んで、底板１の上方に向かって突出する略直方体形状のスライド係止突起１２ａａ，１２ａｂ，１２ｂａ，１２ｂｂが形成されている。具体的に図３にて前方から見て右側に位置する長辺を例に説明すると、この長辺に、その中央に形成された切り欠き部１１ａを挟むよう２つのスライド係止突起１２ａａ，１２ａｂが形成され、そのうちの１つは長辺の一端部付近である底板１の前方側に形成され、また、もう１つは切り欠き部１１ａに近接して当該切り欠き部１１ａよりも長辺の他端側である底板１の後方側に位置して形成されている。なお、上記切り欠き部１１ａ等やスライド係止突起１２ａａ等の形状は、上述したものに限定されず、また、その位置も上記位置に限定されるわけではない。例えば、スライド係止突起１２ａａ等は、当該突起１２ａａ等が形成されている箇所に取り付けられた「ねじ」など、底板１の上方に突出するものにより代用してもよい。
【００２６】
そして、底板１の表面には、仕切部材２の脚部２１ａ，２１ｂを挿入するための挿入穴１３ａｎ，１３ｂｎが形成されている。この挿入穴（１３ａｎ等）は、略長方形状に形成されており、当該挿入穴１３ａｎの長辺が平行となるよう一定の間隔に複数が並列に配置されており、２つの挿入穴群１３ａ，１３ｂを形成している。そして、挿入穴群１３ａ，１３ｂは、底板１の中央よりも前方側（長辺の一端側）と、底板１の後方側付近（長辺の他端付近）と、に位置して形成されており、当該挿入穴群１３ａ，１３ｂ同士の間隔は、後述する仕切部材２の脚部２１ａ，２１ｂの間隔とほぼ等しい。
【００２７】
また、符号１３ａの挿入穴群内の挿入穴（例えば、符号１３ａｎに示す挿入穴）と、符号１３ｂに示す挿入穴群内の挿入穴（例えば、符号１３ｂｎに示す挿入穴）は、それぞれ対応して位置しており、同一の仕切部材２の脚部２１ａ，２１ｂが挿入されるようになっている。従って、各挿入穴群１３ａ，１３ｂの挿入穴は、それぞれ前後にて対応して形成されている。
【００２８】
ここで、挿入穴１３ａｎの形状についてさらに詳述する。図５（ａ）に挿入穴１３ａｎの断面図を示すが、当該穴は底板１の裏面まで貫通している。そして、この図に示すように、挿入穴１３ａｎの底板１における後方側の壁面の表面側はその板厚が約半分に薄く形成されて、後に説明するよう仕切部材２の脚部２１ａ，２１ｂに形成された切り欠き溝２２ａ，２２ｂが嵌合する嵌合部１３ａｎｘが形成されており、当該底板１の裏面側の約半分の板厚部分が切除されて形成されている。また、これとは逆に、その反対側の壁面、すなわち、挿入穴１３ａｎの底板１における前方側の壁面には、その裏面側の板厚が薄く形成され、後述するように仕切部材２の脚部を支持する支持部１３ａｎｙが形成されており、表面側の約半分が切除されている。そして、全ての挿入穴が、上記形状に形成されている。
【００２９】
また、底板１の前方に位置する短辺付近の表面には、下方に向かって凹む半円柱形状の引き出し部１４が形成されている。この引き出し部１４に指を引っかけて、前方側に引くことで、底板１を基台３上でスライドさせて、前方に引き出すことができる。
【００３０】
（基台）
続いて、基台３について説明する。基台３は略長方形状の板状部材にて形成されており、上述した長方形状である底板１よりもその長辺側が一回り広く形成された形状になっている。具体的には、基台３の長辺は底板１の長辺とほぼ同一の長さであって、短辺が底板１よりも長く形成されている。そして、基台３の表面には、短辺方向の中央に、底板１とほぼ同一形状である長方形状の凹部３１が形成されている。このとき、基台３の長辺は底板１とほぼ同一であることから、上記凹部３１の短辺部分の壁面は形成されていない。このため、かかる凹部３１に収容される底板１は、その長辺に沿って前後にスライド可能となっている。
【００３１】
ここで、上記凹部３１について詳述すると、凹部３１部分は、長辺付近の部分よりも上記底板１の厚さ分だけ凹んでいるため、その板厚が薄く形成されている。従って、凹部３１の内壁面である各側壁部３１ａ，３１ｂは、底板１が凹部に載置された際に、その長辺の側面が当接、あるいは、近接して位置することとなる。従って、各側壁部３１ａ，３１ｂは、基台３に載置された底板１の長辺にそれぞれ当接、あるいは、近接して、基台３から上方に向かって突出して形成されている、とも換言できる。
【００３２】
また、基台３の長辺部分、すなわち、凹部３１箇所に比べて板厚が厚く形成されている箇所（上記側壁部３１ａ，３１ｂの上端部）からは、凹部３１側に突出する底板保持突起３２ａ，３２ｂがそれぞれ形成されている。具体的には、凹部３１の内底面から底板１の板厚だけ離れた上方の位置から当該凹部３１の中心に向かって突出する板状の突起であって、基台３の前方よりに位置して形成されている。これにより、凹部３１に底板１が収まって載置されると、上記底板保持突起３２ａ，３２ｂの下部に底板１の長辺部分が位置することとなり、すなわち、底板１の両長辺部分が、底板保持突起３２ａ，３２ｂと凹部３１の内底面にて上下に挟まれた状態となる。このため、当該底板１が基台３から離間する方向に移動することが抑制される。また、この状態では、底板１の長辺側面が、凹部３１の内壁面である各側壁部３１ａ，３１ｂに当接あるいは近接した状態であるため、当該各側壁部３１ａ，３１ｂがガイドとなって、長辺方向（前後方向）にスライド可能となる。なお、凹部３１に底板１を装着する時の様子については後述する。
【００３３】
（支柱部材及び天板）
また、基台３の各長辺の両端部、すなわち、基台３の四隅には、所定の長さの支柱部材４を装着するための支柱用穴（図示せず）が形成されていて、かかる支柱用穴を介して支柱部材４を立設させることが可能である。例えば、支柱用穴には、六角ナットが装着されるようになっていて、当該ナットと、支柱自身の端部に備えられたねじ部とを螺合することで固定することができる。そして、立設された支柱部材４の上端部に天板５を固定することで、上部が覆われた収納ケースとなりうる。なお、上記支柱用穴の内側面には、支柱部材４の挿入の妨げとならない程度に中空部分に突出する突起を形成するとよい。これにより、支柱用穴と支柱部材４とがきつくはめ合わされ、かかる支柱部材４が強固に支柱用穴に固定され、その立設状態がより安定したものとなる。なお、上記支柱用穴内部の突起の形状は、例えば穴の軸方向に沿った線状でもよいが、かかる形状に限定されない。
【００３４】
（仕切部材）
次に、仕切部材２について図４を参照して説明する。図４は、仕切部材２の外観を示す斜視図である。なお、図４に示す形状の仕切部材２はその一例であって、必ずしもこの形状に限定されるものではない。
【００３５】
図４に示すように、仕切部材２は略コ字状に形成された板状部材からなる。換言すると、３辺に屈曲された形状をしていて、前側脚部２Ａと、後側脚部２Ｂと、これを繋ぐ中間部２Ｃとにより構成されている。そして、前側、後側脚部２Ａ，２Ｂの各端部がそれぞれ脚部２１ａ，２１ｂとなり、上述した底板１に形成された挿入穴１３ａｎ，１３ｂｎにそれぞれ挿入される。従って、仕切部材２が底板１に装着されると、当該仕切部材２の仕切面は底板１の長辺に沿って位置することとなり、換言すると、底板１のスライド方向に沿って装着される。このため、各脚部２１ａ，２１ｂが位置する前側、後側脚部２Ａ，２Ｂがスライド方向において前後して配置されることとなる。そして、本実施例では、前側脚部２Ａが図１でいう前方側に位置し、後側脚部２Ｂが後方側に位置して装着されることとなる。
【００３６】
そして、両脚部２１ａ，２１ｂの端部付近に位置する各辺の稜線上には、それぞれ同一方向（図１の例で言うと後方）に向かって開口する切り欠き溝２２ａ，２２ｂが形成されている。従って、本実施例では、切り欠き溝２２ａ，２２ｂは、一方の脚部２２ａでは仕切部材２自身の内側に形成され、他方の脚部２２ｂでは外側に形成されている。そして、この切り欠き溝２２ａ，２２ｂの溝幅は、上述した挿入穴１３ａｎ，１３ｂｎの壁面に形成された嵌合部１３ａｎｘの板厚とほぼ同一であって、当該嵌合部１３ａｎｘに嵌合される。
【００３７】
また、両脚部２１ａ，２１ｂの先端部は段状に形成されていて、具体的には、底板１に装着された際に前方に位置する側の約半分は、切り欠き溝２２ａ，２２ｂが形成されている側よりも上述した挿入穴１３ａｎの支持部１３ａｎｙの厚さとほぼ同一の長さだけ短くなるよう切除されている。すなわち、両脚部２１ａ，２２ｂの先端部には段状部２３ａ，２３ｂが形成されている。この段状部２３ａ，２３ｂが後に底板１の挿入穴に挿入される際に、支持部１３ａｎｙに当接して装着を容易にし、また、装着した状態では段状部２３ａ，２３ｂが支持部１３ａｎｙに支持された状態となるので、仕切部材２が安定して装着されることとなる（図５（ｂ），（ｃ）参照）。
【００３８】
また、後側脚部２Ｂには、その先端側とは反対側であって中間部２Ｃ側には、仕切部材２の仕切面上から突出する収納物係止突起２４，２５が形成されている。具体的には、本実施例では、仕切部材２を形成する板状部材が曲折されて略三角形上に仕切面上から突出している。従って、突出方向とは反対側の仕切面は、略三角形上に凹んでいる。これを換言すると、上記収納物係止突起２４，２５が形成された箇所の当該突起の突出方向とは反対側の部分は、当該収納物係止突起２４，２５の突出形状に対応して凹状に形成されていることとなる。さらに具体的に図４を参照して説明すると、本実施例では、より中間部２Ｃに近い箇所に、一方の仕切面から三角形状に突出する収納物係止突起２３が形成されていて、その下部には、反対側である他方の仕切面から三角形上に突出する収納物係止突起２４が形成されている。これにより、仕切部材の両側に立て掛けられた収納物が奥に移動することを係止することができる。そして、その収納物係止突起２４，２５の突出側とは反対側は、三角形上に凹状に形成されているので、これらを重ね合わせたときに突起同士が干渉することを抑制することができる。
【００３９】
そして、仕切部材２の上記収納物係止突起２４，２５が位置する箇所よりも内部側（図４では左側）、すなわち、上記脚部２１ｂに形成された切り欠き溝２２ｂの開口側とは反対側であって、当該突起２４，２５に近接して位置する箇所には、近接して立設される別の仕切部材（図示せず）の収納物係止突起との干渉を避ける逃げ部２４ａ，２５ａが形成されている。本実施例では、かかる箇所が切除されて形成されている。
【００４０】
また、後側脚部２Ｂには、切り欠き溝２２ｂが形成されている箇所付近から中間部２Ｃに向かって長手方向に沿って溝状の突起であるリブ２６が形成されている。このとき、リブ２６は、切り欠き溝２２ｂの上部に相当する位置から形成されている。これにより、仕切部材２を底板１に装着した際に、リブ２６の先端が底板１の表面に当接することとなり、仕切部材２が倒れにくくなる。また、このリブ２６により仕切部材２の強度の向上を図ることができる。
【００４１】
（動作）
次に、収納ラックの組立時の動作と使用時の動作とについて図５を参照して説明する。はじめに図５を参照して、仕切部材２の装着方法を説明する。なお、このとき、符号２１ａに示す脚部２１ａを例に挙げて説明するが、その他の脚部であっても同様である。
【００４２】
まず、仕切部材２の各脚部２１ａの先端部を底板１の挿入穴１３ａｎ等に挿入し、段状部２３ａが挿入穴１３ａｎの支持部１３ａｎｙに当接するまで挿入する（図５（ｂ）の矢印Ｙ１参照）。その後、段状部２３ａが支持部１３ａｎｙに当接した状態で、脚部２１ａの切り欠き溝２２ａの開口部方向にスライドし（図５（ｂ）の矢印Ｙ２参照）、切り欠き溝２２ａを挿入穴１３ａｎの嵌合部１３ａｎｘに嵌合する（図５（ｃ）参照）。これにより、脚部２１ａの前方側は挿入穴の支持部１３ａｎｙに下方から支持され、後方側は嵌合部１３ａｎｘに切り欠き溝２２ａが勘合した状態となり、仕切部材２は底板１に安定して固定される。
【００４３】
次に、底板１を基台３に載置する時の動作について、図３を参照して説明する。まず、底板１の引き出し部１４が形成された短辺と、基台３の底板保持突起３２ａ，３２ｂが形成されている側の短辺とを合わせ、それぞれの前方、後方を合わせる。そして、底板１の切り欠き部１１ａ，１１ｂと、基台３の底板保持突起３２ａ，３２ｂとの位置を合わせるよう底板１が基台３よりも前方に移動させ、その位置で、切り欠き部１１ａ，１１ｂに底板保持突起３２ａ，３２ｂを挿通させるよう底板１を上方から基台３の凹部３１に載置する（図３の矢印Ｙ１１，Ｙ１２参照）。これにより、底板１の前方側が基台３から飛び出した状態で凹部３１に載置される（図２参照）。そして、底板１を後方に押すことで、当該底板１と基台３の短辺がそろい、収納状態となる（図１参照）。なお、必要に応じて、基台３の四隅に支柱部材４の上端に天板５を装着することで、収納物に埃がかぶらないようにすることができる。
【００４４】
続いて、収納ラックを使用する際の動作について説明する。まず、引き出し部１４をつかんで前方に引き出すと、底板１が基台３上をスライドし、前方に移動する。このとき、底板１は、その長辺が基台３の側壁部３１ａ，３１ｂに当接して、当該側壁部３１ａ，３１ｂに沿ってスライドすることとなる。また、底板保持突起３２ａ，３２ｂが底板の長辺の表面側に当接していることにより、底板１が基台３から離間する方向に浮き上がってしまうことを抑制している。従って、基台の側壁部３１ａ，３１ｂと底板保持突起３２ａ，３２ｂとにより、底板１のスライド方向を規制しており、底板スライドガイド手段を構成している。
【００４５】
そして、底板１が一定距離だけ前方に移動すると、底板１の中央よりもやや後方に形成されたスライド係止突起１２ａｂ，１２ｂｂが、基台の底板保持突起３２ａ，３２ｂに当接することとなり、これにより、それ以上前方にスライド移動することが規制される。すなわち、スライド係止突起１２ａｂ，１２ｂｂが、底板１のスライドの距離を規制するスライド規制手段を構成している。
【００４６】
このように、底板１が前方にスライドすることにより、仕切部材２にて区画された収納領域を認識しやすくなり、かかる領域にコンパクトディスクなどの収納物を収納することが容易となる。また、収納物を収納したときに、収納領域の奥側で仕切部材２に形成された収納物係止突起２４，２５に収納物が当接することで、収納物がさらに奥に移動してしまうことを抑制することができる。そして、取り出す時も同様に、収納物を前面に移動することができるため取り出しやすくなる。なお、かかる動作は、特に、収納ラックに上述したように天板５が装着されている場合や、他の収納棚に収容されている場合に有効である。例えば、図１の状態で、そのまま収納物を収納してもよいが、天板５やラック自体が収納されている収納棚の上板の存在により、収納物を奥側（後方側）にまで確実に収納できない場合がある。また、収納物を取り出す際には、収納物を認識しづらく、取り出すことも困難である。従って、上述したように簡単な構成にて、利用時の利便性の向上を図ることができる。
【００４７】
また、収納時には、逆に、底板１を後方に押すことで、底板１が後方にスライド移動する。そして、一定の距離だけスライドすると、底板１の前方側に形成されたスライド係止突起１２ａａ，１２ａｂが基台３の底板保持突起３２ａ，３２ｂに当接することとなり、それ以上後方にスライド移動することが規制される。これにより、図１に示すように、収納物を収納した状態となる。
【００４８】
さらに、収納ラックとして使用しない場合には、その分解が容易であり、また、上述したように仕切部材２を重ねて収納することができ、不使用時や販売時における省スペース化を図ることができる。
【００４９】
ここで、上記収納ラックは、壁に立て掛けて使用することもできる。具体的には、上記において「前方」と説明した側（引き出し部１４の形成側）を上方に向け、かかる状態で壁に基台３を固定する。例えば、壁に、両面テープで貼り付けたり、支柱用穴を介してねじなどで固定する。すると、底板１は重力にて下方にスライド移動するよう力が加わるが、上述したように、底板１の前方側（上方側）に形成されたスライド係止突起１２ａａ，１２ａｂが基台３の底板保持突起３２ａ，３２ｂに当接することとなり、それ以上後方（下方）にスライド移動することが規制される。従って、本願の収納ラックは、設置手法を変えることにより、使用時のデザイン性の向上を図ることができる。
【実施例２】
【００５０】
次に、本発明の第二の実施例について図６を参照して説明する。本実施例では、上述した収納ラックを、積み重ねて利用する場合を例示する。
【００５１】
まず、図６（ａ）には、実施例１に説明した収納ラックを階段状に積み重ねたものを例示している。このような積み重ねを実現するために、基台３の四隅に形成された支柱用穴（図示せず）には雌ねじ部が形成されていて、その上下方向から支柱部材４の端部に形成された雄ねじ部が螺合するようになっている。そして、支柱部材４の上部には、天板として基台３及び底板１を装着することで、収納ラックの上部が別の収納ラック収納部として機能する。また、その隣り合う収納ラック同士は、別の土台上に固定されることにより、全てを一体的に構成することができる。このようにすることで、設置場所や用途に適した形状に構成することができ、収納スペースの利用効率の向上を図ることができる。
【００５２】
また、図６（ｂ）に示すように、２つの収納ラック（左右の収容ラック）の間にさらに別の収納ラック（中央の収納ラック）を、その高さを変えて配置することもできる。かかる構成においては、左右の収納ラックの中央側にある支柱部材４を、上記のものに対してほぼ半分の長さの短い支柱部材４ａを２本使用し、その間に中央の収納ラックの基台３を固定する。そして、中央の収納ラックには、全て短い支柱部材４ａを用いることで、天板５も装着することができる。これにより、積み重ねて形成した収納ラックのデザイン性の向上を図ることができる。
【産業上の利用可能性】
【００５３】
本発明は、コンパクトディスクなどを収納するラックとして、プラスチックや金属などで製造することができるため、産業上利用可能である。
【図面の簡単な説明】
【００５４】
【図１】実施例１における収納ラックの外観を示す斜視図である。
【図２】実施例１における収納ラックの外観を示す斜視図であり、底板をスライドさせたときの様子を示す図である。
【図３】図１乃至図２に開示した底板と基台の構成を示す斜視図である。
【図４】図１乃至図２に開示した仕切部材の構成を示す斜視図である。
【図５】図１乃至図２に開示した底板に仕切部材を装着する方法を説明する説明図である。図５（ａ）は、底板の挿入穴の形状を示す断面図であり、図５（ｂ）乃至図５（ｃ）は、挿入穴に仕切部材の脚部を挿入する際の様子を示す図である。
【図６】図６（ａ），（ｂ）は、実施例２における収納ラックの外観を示す斜視図である。
【符号の説明】
【００５５】
１  底板
２  仕切部材
３  基台
４  支柱部材
５  天板
１４  引き出し部
２４，２５  収納物係止突起
２６  リブ
３１  凹部
１１ａ，１１ｂ  切り欠き部
１２ａａ，１２ａｂ，１２ｂａ，１２ｂｂ  スライド係止突起（スライド規制手段）
１３ａ，１３ｂ  挿入穴群
１３ａｎ，１３ｂｎ  挿入穴
１３ａｎｘ  嵌合部
１３ａｎｙ  支持部
２１ａ，２１ｂ  脚部
２２ａ，２２ｂ  切り欠き溝
２３ａ，２３ｂ  段状部
２４ａ，２５ａ  切除部（逃げ部）
３１ａ，３１ｂ  側壁部（底板スライドガイド手段）
３２ａ，３２ｂ  底板保持突起（底板スライドガイド手段）
【図１】
2005218743.tif 000003
【図２】
2005218743.tif 000004
【図３】
2005218743.tif 000005
【図４】
2005218743.tif 000006
【図５】
2005218743.tif 000007
【図６】
2005218743.tif 000008